(57)【要約】【課題】非同期網と同期網とが混在する移動通信網において、移動通信端末のハンドオーバ方法を提示する。【解決手段】本発明では、非同期移動通信システムを介して、通話中の移動通信端末が同期移動通信システム領域に移動して、ハンドオーバのイベントが発生するにともない、移動通信端末の非同期モデム部と非同期移動通信システムとの接続を維持した状態で、移動通信端末の自動着信または自動発信によって、同期移動通信システムと呼設定を行った後、非同期移動通信システムとの接続を終了する。これにより、異種網間のハンドオーバ時に通話の断絶現象を解決できるようなる。
2008527777.tif 000002
【特許請求の範囲】
【請求項１】
非同期移動通信システムと同期移動通信システムとが混在する移動通信網において、非同期モデム部および同期モデム部を備えるデュアルバンドデュアルモード移動通信端末のハンドオーバ方法であり、
前記移動通信端末の非同期モデム部が、前記非同期移動通信システムと通話状態にあり、前記同期モデム部が遊休状態にある場合、前記移動通信端末が前記同期移動通信システム側に移動してハンドオーバのイベントが発生するにともない、前記非同期移動通信システムが前記同期移動通信システムに前記移動通信端末の接続環境を転換することを要請するステップと、
前記同期移動通信システムの交換機が、前記同期移動通信システムの基地局にページング信号を転送することを要請するステップと、
前記基地局が、前記同期モデム部にページング信号を転送するステップと、
前記ページング信号を受信した前記同期モデム部が、基地局オーバーヘッドメッセージをアップデートしてアクセス状態に遷移した後、前記基地局にページング信号に対する応答信号を転送するステップと、
前記同期モデム部と同期移動通信システムとの間の呼設定過程、および前記非同期モデム部と非同期移動通信システムと間の呼解除過程を行うステップとを含むハンドオーバ方法。
【請求項２】
前記非同期移動通信システムが、前記同期移動通信システムに前記移動通信端末の接続環境を転換することを要請するステップにおいて、前記移動通信端末の識別番号を転送することを特徴とする、請求項１に記載のハンドオーバ方法。
【請求項３】
前記同期モデム部と同期移動通信システムとの間の呼設定過程は、前記同期移動通信システムの基地局が前記同期モデム部にチャネル割当情報を転送するステップと、
前記同期移動通信システムの基地局が、前記同期モデム部にサービス接続情報を転送するステップと、
前記同期モデム部と前記同期移動通信システムの基地局との間で接続が完了するステップと、
前記同期モデム部が、前記非同期モデム部に同期移動通信システムとの接続が完了したことを通知するステップとを含む、請求項１に記載のハンドオーバ方法。
【請求項４】
前記非同期モデム部と非同期移動通信システムとの間の呼解除過程は、上記同期移動通信システムがページング結果、およびルーティング結果を報告して、呼解除を要請することにともない、前記非同期移動通信システムが前記非同期モデム部に呼解除を要請するステップと、
前記非同期モデム部が呼解除の要請に対し応答することによって、呼解除を完了し、前記非同期移動通信システムが前記同期移動通信システムに呼解除が完了したことを報告するステップとを含む、請求項１に記載のハンドオーバ方法。
【請求項５】
前記呼解除の過程が完了した後、前記非同期モデム部がスリップ状態に遷移するステップをさらに含む、請求項４に記載のハンドオーバ方法。
【請求項６】
非同期移動通信システムと同期移動通信システムとが混在する移動通信網において、非同期モデム部および同期モデム部を備えるデュアルバンドデュアルモード移動通信端末のハンドオーバ方法であって、
前記移動通信端末の非同期モデム部が、前記非同期移動通信システムと通話状態にあり、前記同期モデム部が遊休状態にある場合、前記移動通信端末が前記同期移動通信システム側に移動し、ハンドオーバのイベントが発生するにともない、前記非同期移動通信システムが前記移動通信端末の非同期モデム部にチャネル割当情報を含むハンドオーバ指示メッセージを転送するステップと、
前記非同期モデム部が前記同期モデム部にハンドオーバのイベントが発生した事実を通知し、チャネル割当情報を通知するステップと、
前記同期モデム部が通信準備の過程を行った後、前記同期移動通信システムに発信を試みるステップと、
前記同期モデム部と前記同期移動通信システムとの間の呼設定過程を行うステップと、
前記同期モデム部が前記非同期モデム部に同期移動通信システムとの接続が完了したことを通知し、前記非同期モデム部と前記同期モデム部との間でモードの転換がなされるステップと、
前記同期移動通信システムの要請により、前記非同期移動通信システムと非同期モデム部との間の呼解除の過程を行うステップとを含むハンドオーバ方法。
【請求項７】
前記ハンドオーバ指示メッセージは、前記同期移動通信システムのハンドオーバメッセージを含むことを特徴とする、請求項６に記載のハンドオーバ方法。
【請求項８】
前記同期モデム部が発信を試みるステップは、識別番号を含んで行われることを特徴とする、請求項６に記載のハンドオーバ方法。
【請求項９】
前記同期モデム部の通信準備過程は、前記同期モデム部のスイッチ−オンおよびウォーム−アップを行うステップと、
前記同期移動通信システムからパイロットチャネルおよび同期チャネルを獲得するステップと、
前記同期モデム部が遊休状態に遷移するステップと、
前記遊休状態の同期モデム部がトラフィック状態に遷移するステップとを含む、請求項６に記載のハンドオーバ方法。
【請求項１０】
前記同期モデム部と前記同期移動通信システムとの間の呼設定の過程は、前記同期移動通信システムの基地局が前記同期移動通信システムの交換機に接続を要請するメッセージを転送し、前記交換機が前記基地局にチャネル割当を要請するステップと、
前記同期移動通信システムの基地局が、前記同期モデム部にチャネル割当情報を転送するステップと、
前記同期移動通信システムの基地局が、前記同期モデム部にサービス接続情報を転送するステップと、
前記同期モデム部と前記同期移動通信システムの基地局との間で、接続が完了するステップとを含む、請求項６に記載のハンドオーバ方法。
【請求項１１】
前記非同期移動通信システムと非同期モデム部との間の呼解除の過程は、前記同期移動通信システムの基地局が前記同期移動通信システムの交換機にチャネル割当を完了したことを報告するステップと、
前記同期移動通信システムの交換機が、前記非同期移動通信システムの交換機に接続転換を完了したことを通知するステップと、
前記非同期移動通信システムが、前記非同期モデム部に呼解除を要請するステップと、
前記非同期モデム部が呼解除の要請に対し応答することによって、呼解除を完了し、前記非同期移動通信システムが前記同期移動通信システムに呼解除が完了したことを報告するステップとを含む、請求項６に記載のハンドオーバ方法。
【請求項１２】
前記呼解除の過程が完了した後、前記非同期モデム部がスリップ状態に遷移するステップをさらに含む、請求項１１に記載のハンドオーバ方法。
【請求項１３】
前記移動通信端末が、前記非同期移動通信システムと接続して通話を行う前に、前記移動通信端末は前記非同期移動通信システムに位置登録を行い、
前記位置登録時に前記非同期移動通信システムから同期移動通信システムへのハンドオーバが可能であることを通報され、前記移動通信端末が前記非同期移動通信システムに端末機情報を転送するステップをさらに含む、請求項１に記載のハンドオーバ方法。
【発明の詳細な説明】
【技術分野】
【０００１】
本発明は、移動通信網におけるハンドオーバ方法に関するものであり、より詳しくは、非同期網と同期網とが混在した移動通信網における移動通信端末のハンドオーバ方法に関するものである。
【背景技術】
【０００２】
移動通信技術の発展と通信網の進化にともない、さまざまな形態の移動通信システムが開発されており、これによる移動通信システム間のグローバルローミング問題を解決するために、ＩＭＴ−２０００システムが開発された。ＩＭＴ−２０００システムは、ＣＤＭＡ２０００基盤の同期方式システムとＷＣＤＭＡ基盤の非同期方式システムとに分かれている。
【０００３】
また、移動通信システム間のグローバルローミングを支援するために、同期方式のシステムと非同期方式のシステムにおいて、いずれも使用可能な移動通信端末（Ｄｕａｌ  Ｂａｎｄ  Ｄｕａｌ  Ｍｏｄｅ  Ｔｅｒｍｉｎａｌ；ＤＢＤＭ移動通信端末）が開発されており、このような移動通信端末を用いることによって、非同期方式システム領域および同期方式システム領域各々で、それぞれ異なる方式のサービスを用いることができる。
【０００４】
現在、非同期移動通信システムは、サービスの要求が多い地域を中心に構築中であり、これによって同期方式の移動通信システムは、そのサービス領域が非同期方式システムのサービス領域を含む形態に進化するようになり、このような過程においてユーザが非同期移動通信システムと同期移動通信システムの間を相互移動する場合に、連続的なサービス提供のためにシステム間のハンドオーバが必要になる。
【０００５】
しかし、現在は非同期移動通信システムと同期移動通信システムとの間のハンドオーバ時には、現在接続状態にある移動通信システムとの通信を中断し、他の移動通信システムと接続する方式でハンドオーバがなされているが、この場合ハンドオーバ時間が多く必要とされるようになり（数百  ｍｓｅｃ）、これによって短時間でない通話の断絶が発生し、サービスの品質が低下するという短所がある。
【発明の開示】
【発明が解決しようとする課題】
【０００６】
本発明は、前述した問題点を解決するために案出されたものであり、非同期移動通信システムと同期移動通信システムとの間のハンドオーバ時に、同期移動通信システムから移動通信端末に呼を試みて呼設定を行ったり、移動通信端末から同期移動通信システムに呼を試みて呼設定を行ったりして、移動通信端末と同期移動通信端末間に通話路が形成された後、非同期移動通信システムとの接続を終了することによって、通信が断絶する現象を防止できるハンドオーバ方法を提供することにその技術的課題がある。
【課題を解決するための手段】
【０００７】
本発明では、非同期移動通信システムを介して通話中の移動通信端末が同期移動通信システム領域に移動し、ハンドオーバのイベントが発生することにより、移動通信端末の非同期モデム部と非同期移動通信システムとの接続を維持した状態で、移動通信端末の自動着信または自動発信によって、同期移動通信システムと呼設定を行った後、非同期移動通信システムとの接続を終了する。
【発明を実施する最良の形態】
【０００８】
以下、添付された図面を参照して、本発明の好ましい実施形態をより詳細に説明する。
【０００９】
図１は、本発明が適用される移動通信網の構成図である。
【００１０】
本発明に適用される移動通信端末１０は、デュアルバンドデュアルモード（以下、「ＤＢＤＭ」という）移動通信端末であって、非同期移動通信サービスと同期移動通信サービスとを同時に提供することが可能な形態であり、具体的な説明は図２を参照して後述する。ＤＢＤＭ移動通信端末１０は、非同期移動通信システム２０、および同期移動通信システム３０と各々無線で接続し、音声およびデータサービスを用いることができる。
【００１１】
非同期移動通信システム２０は、移動通信端末１０との無線区間通信のための基地局としてのノードＢ、およびノードＢの制御のための無線網制御機（ノードＢ／ＲＮＣ）２１０、無線網制御機２１０と接続して、移動通信端末１０にサービスを提供するための呼交換を行う非同期交換機（ＭＳＣ）２２０、非同期交換機２２０と、Ｎｏ．７共通信号網２３０とを介して接続された短文サービスセンター（ＳＭＳＣ）２４０、インテリジェントネットワーク制御機（ＳＣＰ）２５０、およびホーム位置登録機（ＨＬＲ）２６０、無線網制御機２１０とＧＰＲＳ（Ｇｅｎｅｒａｌ  Ｐａｃｋｅｔ  Ｒａｄｉ０  Ｓｅｖｉｃｅ）網２８０との間に接続され、移動通信端末１０の位置トラックを維持してアクセス制御および保安機能を行うＳＧＳＮ（Ｓｅｒｖｉｎｇ  ＧＰＲＳ  Ｓｕｐｐｏｒｔ  Ｎｏｄｅ）２７０、ＳＧＳＮ２７０とＧＰＲＳ（Ｇｅｎｅｒａｌ  Ｐａｃｋｅｔ  Ｒａｄｉｏ  Ｓｅｒｖｉｃｅ）網２８０を介して接続され、インターネット４０に接続され、外部パケットとの連動を支援するＧＧＳＮ（Ｇａｔｅｗａｙ  ＧＰＲＳ  Ｓｕｐｐｏｒｔ  Ｎｏｄｅ）２９０を含む。
【００１２】
また、同期移動通信システム３０は、移動通信端末１０と無線区間との通信を支援する基地局と、基地局を制御するための基地局制御機（ＢＴＳ／ＢＳＣ）３１０、１つ以上の基地局制御機と接続されて、呼交換を行うための交換機（ＭＳＣ）３２０、交換機３２０とＮｏ．７共通信号網３３０を介して接続された短文サービスセンター（ＳＭＳＣ）３４０、インテリジェントネットワーク制御機（ＳＣＰ）３５０、およびホーム位置登録機（ＨＬＲ）３６０、基地局制御機３１０と接続され、加入者にパケットデータサービスを提供するためのパケットデータサービスノード（ＰＤＳＮ）３７０、パケットデータサービスノード３７０とインターネット４０との間の接続を支援するためのデータコア網（ＤＣＮ）３８０とを含んで構成される。
【００１３】
非同期移動通信システム２０、および同期移動通信システム３０の交換機２２０，３２０は相互に接続されており、Ｎｏ．７共通信号網２３０，３３０、または、相互に接続され、移動通信端末１０のハンドオーバ等に必要な情報を送受信するようになる。
【００１４】
このような移動通信システムにおいて、本発明の移動通信端末１０は、非同期移動通信システム２０と同期移動通信システム３０との間に相互に接続され、２つのシステムの信号処理状況を転送して処理する。
【００１５】
本発明のために、移動通信端末１０の位置登録時に移動通信端末１０は、非同期移動通信システム２０を優先的に選択し、非同期移動通信システム２０への位置登録を要請する時、非同期移動通信システム２０は位置登録を要請した移動通信端末１０に同期移動通信システム３０へのハンドオーバが可能であることを通知し、ハンドオーバに予め対処することができるようにする。これを受信した移動通信端末１０は、端末の情報を非同期移動通信システム２０に転送し、非同期移動通信システム２０のホーム位置登録機２６０は、該当移動通信端末１０の情報と前記移動通信端末１０とがハンドオーバ可能な端末であることを貯蔵することによって、ハンドオーバ発生に対し予め準備するようになる。
【００１６】
また、非同期移動通信システム２０領域から、サービスを利用した移動通信端末１０が同期移動通信システム３０領域に移動すれば、同期移動通信システム３０へのハンドオーバを行って、移動通信端末１０がサービスを終了し、遊休状態になると再び非同期移動通信システム２０を選択する。
【００１７】
図２は、本発明に適用される移動通信端末の構図である。
【００１８】
図に示すように、本発明に適用されるＤＢＤＭ移動通信端末１０は、アンテナ１００、同期移動通信サービスのためのモジュール１１０、非同期移動通信サービスのためのモジュール１２０、および共通モジュール１３０を含んで構成される。
【００１９】
アンテナ１００は、同期移動通信サービスのための周波数帯域と非同期移動通信サービスのための周波数帯域とを同時に処理することが可能である。
【００２０】
同期モジュール１１０は、各々の周波数を区分して処理するバンドパスフィルタで動作するデュプレクサ１１１、送受信電波を定めた周波数帯域に分離する同期無線送受信部１１２、および同期移動通信システム３０との無線区間プロトコルを処理する同期モデム部１１３を含み、非同期モジュール１２０は各々の周波数を区分して、処理するバンドパスフィルタで動作するデュプレクサ１２１、送受信電波を定めた周波数帯域で分離する非同期無線送受信部１２２、および非同期移動通信システム２０との無線区間プロトコルを処理する非同期モデム部１２３を含む。
【００２１】
共通モジュール１３０は、同期モデム部１１３、および非同期モデム部１２３を制御するための中央処理装置で動作し、マルチメディア機能を行うアプリケーションプロセッサ、メモリ、入出力部、その他応用処理部等を含む。
【００２２】
また、ＤＢＤＭ移動通信端末１０には、ユーザインターフェース、付加サービス、移動性管理、接続／セッション制御、リソース制御、プロトコル処理のためのソフトウェアが搭載されており、ユーザが各種応用サービスを利用できるようにし、ハンドオーバを実行しながら移動通信システムに合うようにプロトコル変換を行う。
【００２３】
図３は、非同期網と同期網とが混在する移動通信網におけるハンドオーバ概念図である。
【００２４】
１つの移動通信システムにおいて、ハンドオーバ（またはハンドオフ）は、移動通信端末が移動通信システムの１つのセルから他のセルに移動する場合に、ユーザが通話の断絶なしに通信することができるようにする技術を意味する。
【００２５】
本発明は、同期移動通信システムと非同期移動通信システムとが混在する網において、ＤＢＤＭ移動通信端末のハンドオーバ方法として、移動通信端末１０−１が同期領域３００から非同期領域２００に移動した場合と、移動通信端末１０−２が非同期領域２００から同期領域３００に移動した場合とのうち、後者に限定して説明する。
【００２６】
本発明の一実施形態で、非同期領域２００においてサービスを利用している移動通信端末１０−２が、同期領域３００に接近するにつれて、非同期移動通信システムのノードＢから移動通信端末１０−２に受信されるパイロット信号の大きさが順次減衰するようになり、電力減衰を感知した非同期移動通信システム２０は、同期移動通信システム３０にハンドオーバを要請する一方、該当移動通信端末１０にハンドオーバを行うことを指示する。
【００２７】
これにより、同期移動通信システム３０は、移動通信端末１０−２にページングメッセージを転送し、移動通信端末１０−２が応答することにともない通話路を形成し、通話路の形成が完了すれば非同期移動通信システム２０と移動通信端末１０−２との非同期モジュール１２０との接続を解除して呼設定を終了し、同期領域３００に移動した移動通信端末１０−２は接続の断絶なく、引き続きサービスを利用できるようになる。
【００２８】
本発明の他の実施形態で、非同期領域２００においてサービスを利用している移動通信端末１０−２が同期領域３００に接近するにつれ、非同期移動通信システムのノードＢから移動通信端末１０−２に受信されるパイロット信号の大きさが順次減衰し、電力減衰を感知した非同期移動通信システム２０は、移動通信端末１０−２の同期モジュール１１０で同期移動通信システム３０に発信を試みることを指示する。
【００２９】
これにより、移動通信端末１０−２の同期モジュール１１０が、トラフィック状態に遷移した後、同期移動通信システム３０に発信を試み、移動通信端末１０−２と同期移動通信システム３０との間に呼設定がなされれば、非同期移動通信システム２０と移動通信端末１０−２の非同期モジュール１２０との接続を解除して呼設定を終了し、同期領域３００に移動した移動通信端末１０−２は接続の断絶なく、引き続きサービスを利用できるようになる。
【００３０】
このような過程を図４〜図６を参照して具体的に説明すれば、次のようになる。
【００３１】
図４は、本発明の一実施形態によるハンドオーバ方法を説明するためのフローチャートとして、ハンドオーバのイベント発生時に同期移動通信システムが、移動通信端末にページングメッセージを転送して呼設定を行う、同期移動通信端末自動着信によるハンドオーバ方法を示す。
【００３２】
移動通信端末１０が、非同期移動通信システム２０と接続され、通話をしている状態(RRC connected state)で（Ｓ１０１）、移動通信端末１０の同期モデム部１１３は遊休状態にあるようになる（Ｓ１０２）。
【００３３】
このような状況において、移動通信端末１０が同期領域３００に移動し、ハンドオーバ条件が満たされるようになれば、非同期移動通信システム２０は、同期移動通信システム３０のコア網に移動通信端末１０の接続環境を転換することを要請する（Relocation Required, Ｓ１０３）。この時、移動通信端末１０の識別番号を共に転送し、コア網は交換機（ＭＳＣ）にルーティング情報を要請し（Routing Req,Ｓ１０４）、交換機（ＭＳＣ）はこれに対する応答信号(rout req)をコア網に転送した後（Ｓ１０５）、基地局（ＢＴＳ）にページングを要請する（Paging Request, Ｓ１０６）。
【００３４】
これにより、基地局（ＢＴＳ）が移動通信端末１０の同期モデム部１１３にページングメッセージ(General Page Message)を転送し（Ｓ１０７）、自動着信するようにするのだが、このように同期モデム部１１３に自動着信するようにする理由は、非同期モデム部１２３が非同期移動通信システム２０と通話中の状態で同期モデム部１１３をトラフィック状態に遷移させるためである。
【００３５】
ページングメッセージを受信した移動通信端末１０の同期モデム部１１３は、オーバーヘッドメッセージをアップデートし（Ｓ１０８）、アクセス状態に遷移した後（Ｓ１０９）、同期移動通信システム３０の基地局（ＢＴＳ）にページングに対する応答信号(Page Response Message)を転送する（Ｓ１１０）。ここで、オーバーヘッドメッセージは、システムパラメータ、移動通信端末のアクセス関連情報、基地局周波数情報、ローミングのための情報、隣接基地局に対する情報等が含まれるものとして、基地局は移動通信端末機にこのような情報を周期的に転送し、移動通信端末は周期的にこれを更新しなければならない。
【００３６】
以後、同期モデム部１１３と同期移動通信システム３０との間の呼設定の過程（Ａ）、および非同期モデム部１２３と非同期移動通信システム２０との間の呼解除の過程とが同時に行われるようになる。同期モデム部１１３と同期移動通信システム３０との間の呼設定のために、先ず同期移動通信システム３０の基地局（ＢＴＳ）が同期モデム部１１３にチャネル割当情報(Extended Channel Assignment Message)を転送し（Ｓ１１１）、続いてサービス接続情報(Service Connection Message)を転送し（Ｓ１１２）、これによって同期モデム部１１３と同期移動通信システムの基地局との間で接続が完了するようになる（Service Connection Complete, Ｓ１１３）。
【００３７】
同期モデム部１１３と同期移動通信システムの基地局との間で接続が完了すれば、同期モデム部１１３は非同期モデム部１２３に接続が完了したことを通報(Service connected)する一方（Ｓ１１４）、基地局（ＢＴＳ）は交換機（ＭＳＣ）にページング結果(Paging Rsp)を転送し（Ｓ１１５）、交換機はコア網にルーティング結果(MS on channel)を転送し（Ｓ１１６）、コア網が非同期移動通信システム２０に呼解除を要請(Iu Release Command)するようにする（Ｓ１１７）。
【００３８】
これにより、非同期移動通信システム２０は、非同期モデム部１２３に呼解除を要請し（RRC CONNECTION RELEASE, Ｓ１１８）、非同期モデム部１２３がこれに応答(RRC CONNECTION RELEASED)するにともない（Ｓ１１９）、呼が解除されれば、非同期移動通信システム２０は同期移動通信システム３０のコア網としてこれを 報告し（Iu Release Complete, Ｓ１２０）、 移動通信端末１０の非同期モデム部１２３はスリップ状態に遷移するようになる（Ｓ１２１）。
【００３９】
このように、本実施形態では同期移動通信システムのページングに対し、移動通信端末の同期モデム部が自動着信するにともない、同期移動通信システムと同期モデム部との間に呼設定がなされた状態で、非同期移動通信システムと非同期モデム部との間の呼設定を解除することによって、通話の断絶現象なくハンドオーバを行うことができる。
【００４０】
図５は、本発明の他の実施形態に係るハンドオーバ方法を説明するためのフローチャートであり、ハンドオーバのイベント発生時に移動通信端末が同期移動通信システムに発信を試み、呼設定を行う同期移動通信端末自動発信によるハンドオーバ方法を示す。
【００４１】
移動通信端末１０が非同期移動通信システム２０と接続されて、通話をしている状態で（RRC connected state, Ｓ２０１）、移動通信端末１０の同期モデム部１１３は遊休状態になる（Ｓ２０２）。
【００４２】
このような状況で、移動通信端末１０が同期領域に移動してハンドオーバの条件が満たされるようになれば、非同期移動通信システム２０は移動通信端末１０の非同期モデム部１２３にハンドオーバを指示(HANDOVER FROM UTRAN COMMAND)するが（Ｓ２０３）、このメッセージには同期移動通信システム関連のメッセージが含まれており、特にチャネル割当のための情報が含まれるようになる。チャネル割当情報(Channel assignment)は、非同期モデム部１２３から同期モデム部１１３に転送され、同期モデム部１１３がハンドオーバを予め準備できるようにし、同期モデム部１１３にハンドオーバのイベントが発生したことを通知して自動発信が行われるようにする（Ｓ２０４）。また、非同期移動通信システム２０が非同期モデム部１２３にハンドオーバを指示するステップ（Ｓ２０３）において、同期移動通信システム３０のハンドオーバメッセージ(Universal handoff direction message)を共に転送し、ハンドオーバが行われるようにする。この時、非同期移動通信システム２０は非同期交換機に移動通信端末１０の接続環境を転換することを要請する（Relocation Required, Ｓ２０５）。
【００４３】
非同期モデム部１２３からハンドオーバのイベントが発生したことを通報された同期モデム部１１３は、同期移動通信システム３０との通信準備過程を行い（Ｓ２０６）、通信準備過程が完了すれば、同期移動通信システム３０の基地局（ＢＴＳ）に発信を試みる（Origination Message, Ｓ２０７）。この時、移動通信端末１０の発信の試みが、ハンドオーバのための発信の試みであることを示すために、指定された識別番号が共に転送されるようにすることが好ましい。
【００４４】
基地局（ＢＴＳ）は、交換機（ＭＳＣ）に移動通信端末１０の発信の試みによる接続の要請(Service Req.)を行い（Ｓ２０８）、交換機（ＭＳＣ）は基地局（ＢＴＳ）にチャネルを割り当てるようにし（Assignment Req., Ｓ２０９）、これによって基地局（ＢＴＳ）は移動通信端末１０の同期モデム部１１３にチャネル割当情報(Extended Channel Assignment Message)およびサービス接続情報(Service Connect Message)を転送して（Ｓ２１０，Ｓ２１１）、同期モデム部１１３と基地局（ＢＴＳ）との間の接続が完了(Service Connect Complete)するようになる（Ｓ２１２）。
【００４５】
移動通信端末１０の同期モデム部１１３と同期移動通信システム３０との間に接続が完了すれば、同期モデム部１１３は非同期モデム部１２３に接続が完了したことを通知し（Ｓ２１３）、非同期モデム部１２３と同期モデム部１１３との間にモード転換が行われるようになる（Ｓ２１４）。
【００４６】
一方、基地局（ＢＴＳ）は交換機（ＭＳＣ）にチャネル割当を完了したことを報告し（Assignment Complete, Ｓ２１５）、これを受信した交換機（ＭＳＣ）は非同期交換機に移動通信端末１０の接続転換を完了したことを通知して（MS on channel, Ｓ２１６）、非同期交換機が非同期移動通信システム２０に非同期モデム部１２３との呼解除を要請(Iu Release Command)するようにする（Ｓ２１７）。
【００４７】
非同期移動通信システム２０は、非同期モデム部１２３に呼解除を要請し（RRC CONNECTION RELEASE, Ｓ２１８）、非同期モデム部１２３がこれに応答すれば（RRC CONNECTION RELEASED, Ｓ２１９）、非同期移動通信システム２０は非同期交換機に呼解除が完了したことを報告することによって（Ｓ２２０）、非同期移動通信システム２０から同期移動通信システム３０へのハンドオーバが完了することになる。その後、非同期モデム部１２３はスリップ状態に遷移する（Ｓ２２１）。
【００４８】
このように、本実施形態では移動通信端末の同期モデム部が同期移動通信システムに自動発信するようにすることによって、同期移動通信システムと同期モデム部との間に呼設定がなされた状態で、非同期移動通信システムと非同期モデム部との間の呼設定を解除することによって、通話の断絶現象なくハンドオーバを行うことができる。
【００４９】
図６は、図５に示した同期モデム部からの通信準備過程の詳細フローチャートである。
【００５０】
非同期モデム部１２３からチャネル割当情報を受信した同期モデム部１１３は、スイッチ−オンおよびウォーム−アップ過程を介して活性化され（Ｓ３０１）、パイロットチャネルおよび同期チャネルを獲得する（Ｓ３０２，Ｓ３０３）。パイロットチャネルを獲得することによって、同期移動通信システムの基地局と端末機との間の同期化がなされ、同期チャネルを獲得することによってタイミング情報、その他システム情報などを基地局から受信するようになる。
【００５１】
これにより、移動通信端末１０の同期モデム部１１３が遊休状態を経てトラフィック状態に遷移するようになり（Ｓ３０４，Ｓ３０５）、同期移動通信システム３０と接続がなされるようになる。
【００５２】
本発明では、移動通信端末１０の自動着信、または発信によって同期移動通信システムと接続された状態で、非同期移動通信システムとの接続を解除することによって、ハンドオーバ時の通話の品質を改善することができる。
【００５３】
このように、本発明が属する技術分野の当業者は、本発明がその技術的思想や必須の特徴を変更せず、異なる具体的な形態で実施し得ることを理解するはずである。したがって、以上で記述した実施形態は全ての面で例示的なものであり、限定的なものではないものとして理解しなければならない。本発明の範囲は、上記の詳細な説明よりは後述する特許請求の範囲によって示され、特許請求の範囲の意味および範囲、そしてその等価概念から導き出されるすべての変更または変形された形態が本発明の範囲に含まれると解釈されなければならない。
【産業上の利用可能性】
【００５４】
以上で説明した本発明は、非同期移動通信システムと同期移動通信システムとが混在する移動通信網において、デュアルバンドデュアルモード移動通信端末のハンドオーバ時に既に接続中である移動通信システムとの接続を維持した状態で、移動通信端末の自動着信または自動発信によって、ハンドオーバする移動通信システムとの接続を完了した後、既に接続中である移動通信システムとの接続を終了することによってハンドオーバ時に通話の断絶現象を防止でき、これによってサービス品質を向上させられるようになる。
【図面の簡単な説明】
【００５５】
【図１】本発明が適用される移動通信網の構成図である。
【図２】本発明に適用される移動通信端末の構造図である。
【図３】非同期網と同期網とが混在する移動通信網におけるハンドオーバ概念図である。
【図４】本発明の一実施形態によるハンドオーバ方法を説明するためのフローチャートである。
【図５】本発明の他の実施形態によるハンドオーバ方法を説明するためのフローチャートである。
【図６】図５に示した同期モデム部における通信準備過程の詳細フローチャートである。
【図１】
2008527777.tif 000003
【図２】
2008527777.tif 000004
【図３】
2008527777.tif 000005
【図４】
2008527777.tif 000006
【図５】
2008527777.tif 000007
【図６】
2008527777.tif 000008
【国際調査報告】
2008527777.tif 000009
2008527777.tif 000010